(57)【要約】【課題】反射板構造体の提供。【解決手段】本発明による反射板構造体は、背光モジュールに組み、該背光モジュールは主に、導光板、一つ以上の光源、および反射板より構成する。反射板は底部、一つ以上の側部を設ける。そのうち、一つ以上の側部は底部に連結し、底部より延ばして設ける。一つ以上の側部は屈折して収容空間と開口部を設ける。一つ以上の光源は反射板に備える一つ以上の側部の収容空間に設け、開口側より光出射する。導光板は底部の開口部付近場所に設ける。前記の構造による反射板は導光板を設けると光源を収容する部分を一体構造する。これにより、生産工程数および部品点数を少なくして、コスト軽減を実現できる。【選択図】図２
2007273435.tif 000002
【特許請求の範囲】
【請求項１】
背光モジュールに組み込み、該背光モジュールは主に導光板、一つ以上の光源、および反射板より構成し、
反射板に底部、および一つ以上の側部を底部に連結し、該底部側面より延ばし、該一つ以上の側部は屈折して収容空間と開口部を設け、
該一つ以上の光源は反射板に備える一つ以上の側部の収容空間に設け、開口側より光出射し、導光板は底部の開口部付近場所に設けることを特徴とする反射板構造体。
【請求項２】
該一つ以上の側部と該底部との連結場所に屈折線を設けることを特徴とする請求項１記載の反射板機構。
【請求項３】
該屈折線は一つ以上の切り込み線を設けることを特徴とする請求項２記載の反射板機構。
【請求項４】
該屈折線は一つ以上の半分破断線を設けることを特徴とする請求項２記載の反射板機構。
【請求項５】
該導光板構造は、該反射板と該導光板との間に設けることを特徴とする請求項１記載の反射板機構。
【請求項６】
該屈折線は一つ以上の導光点を設けることを特徴とする請求項５記載の反射板機構。
【請求項７】
該一つ以上の導光点は印刷方式により導光板に設けることを特徴とする請求項６記載の反射板機構。
【請求項８】
該反射板は、ポリカーボネートを使用することを特徴とする請求項１記載の反射板機構。
【発明の詳細な説明】
【技術分野】
【０００１】
本発明は一種の反射板機構、特に一種の背光モジュールに使用する反射板機構に関わるものである。
【背景技術】
【０００２】
液晶ディスプレイ(ＬＣＤ)など一般の表示装置は、自己発光ができないため、あらたに灯管などの光源を取り付ける方式によって、表示機能を実現している。
【０００３】
通常の光源装置は表示装置の背光モジュールに組み込まれる。その背光モジュール内部に光源のほか、導光板、反射板、プリズムレンズ、拡散板などの素子が組み込まれている。光源は発光した後、反射板による反射および導光板によって案内される。このため、光源などより構成した背光モジュールは表示装置において、非常に重要な役目を果たしている。
【０００４】
このほか、背光モジュール機構は、一つの光源を使用するものを説明する。ランプハウジングを屈折することにより、収容空間と開口部を形成する。光源は収容空間に収容し、前記の開口部に光出射する。
【０００５】
図１に示すものは、背光モジュールの断面図である。主に、導光板９１と反射板９２を設け、導光板９１は反射板９２に取り付ける。さらに、反射板９２の両側に屈折して、ランプハウジング９３をそれぞれ設け、ランプハウジング９３に収容空間９３１、と開口部９３２を設ける。光源９４は収容空間９３１に収容し、開口部９３２より光出射する。
【０００６】
しかしながら、該公知技術の背光モジュールに備える反射板９２と両側に備えるランプハウジング９３はそれぞれに生産されるため、生産工程数のほか、使用部品数も増加し、コスト高になり、理想とは言えない。
【発明の開示】
【発明が解決しようとする課題】
【０００７】
本発明による反射板構造体は、背光モジュールに組み込むものであり、該背光モジュールは主に、導光板、一つ以上の光源、および反射板より構成する。
【０００８】
前記の反射板は底部、一つ以上の側部を設ける。そのうち、一つ以上の側部は底部に連結し、底部より延ばして設ける。側部に屈折して収容空間と開口部を設ける。
【０００９】
一つ以上の光源は反射板に備える一つ以上の側部の収容空間に設け、開口側より光出射する。導光板は底部の開口部付近場所に設ける。
【００１０】
前記の構造による反射板は導光板を設けると光源を収容する部分を一体構造する。これにより、生産工程数および部品点数を少なくして、コスト軽減を実現できる。
【００１１】
前記の反射板は、一つ以上の側部と底部と連結した場所に屈折線を設ける。前記の屈折線は切り込み線を設けるか、または屈折線は一つ以上の半分破断線、切り込み線と半分破断線との組み合わせ、もしくは屈折線をその他等効果方式によることができる。
【００１２】
このほか、前記の導光板に導光機構を反射板と導光板との間に設ける。前記の導光機構は一つ以上の導光点を設けるほか、一つ以上の導光点は印刷方式により、導光板に印刷することができる。
【００１３】
前記の反射板材質はポリカーボネート(ＰＣ)を使用する。しかし、ＡＢＳ樹脂 (ＡＢＳ)、ポリメタクリル酸メチル(ＰＭＭＡ)、スチレンモノマ−アクリル酸メチル(ＭＳ)、ポリエチレン(ＰＥ)、ポリスチレン(ＰＳ)ポリプロピレン(ＰＰ)、ポリビニル塩化物(ＰＶＣ)などの部材を使用することができる。このほか、前記した反射板の素材に０．５〜２０％硫酸バリウム(ＢａＳＯ4)を添加するか、または反射板の素材に、１〜５％酸化珪素(ＳｉＯ2)を加えても良い。
【課題を解決するための手段】
【００１４】
請求項１の発明は、背光モジュールに組み込み、該背光モジュールは主に導光板、一つ以上の光源、および反射板より構成し、
反射板に底部、および一つ以上の側部を底部に連結し、該底部側面より延ばし、該一つ以上の側部は屈折して収容空間と開口部を設け、
該一つ以上の光源は反射板に備える一つ以上の側部の収容空間に設け、開口側より光出射し、導光板は底部の開口部付近場所に設けることを特徴とする反射板構造体としている。
請求項２の発明は、該一つ以上の側部と該底部との連結場所に屈折線を設けることを特徴とする請求項１記載の反射板機構としている。
請求項３の発明は、該屈折線は一つ以上の切り込み線を設けることを特徴とする請求項２記載の反射板機構としている
請求項４の発明は、該屈折線は一つ以上の半分破断線を設けることを特徴とする請求項２記載の反射板機構としている。
請求項５の発明は、該導光板構造は、該反射板と該導光板との間に設けることを特徴とする請求項１記載の反射板機構としている。
請求項６の発明は、該屈折線は一つ以上の導光点を設けることを特徴とする請求項５記載の反射板機構としている。
請求項７の発明は、該一つ以上の導光点は印刷方式により導光板に設けることを特徴とする請求項６記載の反射板機構としている。
請求項８の発明は、該反射板は、ポリカーボネートを使用することを特徴とする請求項１記載の反射板機構としている。
【発明の効果】
【００１５】
本発明は反射板構造体。前記の構造による反射板は導光板を設けると光源を収容する部分を一体構造する。これにより、生産工程数および部品点数を少なくして、コスト軽減を実現できる。
【発明を実施するための最良の形態】
【００１６】
図２に示すものは、本発明の断面図である。背光モジュール１に本発明による反射板機構において、背光モジュール１はさらに、導光板１１、二つの光源１２を設け，反射板機構に反射板２を設ける。
【００１７】
図２、図３は、それぞれ本発明の好ましい実施例における反射板の頂面図であり、図４は図３の側面図である。前記の反射板２に底部２１、および二つの側部２２を設け、二つの側部２２は底部２１の両側それぞれに連結し、底部２１の側面より延ばす。さらに、二つの側部２２は上部と内側に屈折して、収容空間２２１と開口部２２２を設ける。
【００１８】
本実施例において、反射板２は透明部材のポリカーボネート(ＰＣ)を使用する。しかし、反射板４は不透明部材のＡＢＳ樹脂(ＡＢＳ)、ポリメタクリル酸メチル(ＰＭＭＡ)、スチレンモノマ −アクリル酸メチル(ＭＳ)、ポリエチレン(ＰＥ)、ポリスチレン(ＰＳ)ポリプロピレン(ＰＰ)、ポリビニル塩化物(ＰＶＣ)などの部材を使用しても良い。
【００１９】
さらに、本実施例において、前記した反射板２二つの側部２２と底部２１との連結場所にそれぞれ屈折線３を設け、該屈折線３は複数の切り込み線３１を設ける。二つの側部２２は切り込み線３１の構造により、より簡単に上部と内側に屈折して、収容空間２２１と開口部２２２を形成できる。
【００２０】
また、前記した背光モジュール１に備える二つの光源１２は、反射板２の二つの側部２２の収容空間２２１に設け、開口部２２２の側面より光出射し、導光板１１は反射板２の底部２１、反射板２の開口部２２２の付近場所に設ける。
【００２１】
この図において、反射板２と導光板１１との間に、導光機構１１１を設ける。本実施例において、該導光機構１１１は複数の導光点１１２を設け、複数の導光点１１２は印刷方式により導光板１１に印刷する。
【００２２】
よって、背光モジュール１に備える二つの光源１２は、反射板２の二つの側部２２に備える開口部２２２側面より光出射するとき、光は反射板２の底部２１より反射し、導光機構１１１の導光点１１２と導光板１１の案内により、背光モジュール１を光らせ、背光モジュール１の表示機能を実現する。
【００２３】
導光機構１１１に備える導光点１１２の構造は、光源１２より発生する光線を均一に分配することにより、背光モジュール１より表示するとき、一部の明暗区域を形成する問題を解消できる。ただし、この点は本発明の技術の重要部分でないため、さらなるの説明を省略する。
【００２４】
前記の構造による反射板２は導光板１１を設ける部分と光源１２を収容する部分を一体構造することにより、生産工程数および部品点数を少なくして、コスト軽減を実現できる。
【００２５】
図５に示すものは、本発明の実施例２における反射板２の頂面図であり、図６は図５の側面図である。主な構造は前記した実施例１に同様である。ただし、反射板５の底部５１と二つの側部５２との連結場所に備える屈折線４はそれぞれに半分破断線４１を設ける。この構造により、反射板５に備える二つの側部５２の屈折をより簡単にできるため、本発明の実施例２を前記した実施例１の各種効果を実現できる。
【図面の簡単な説明】
【００２６】
【図１】公知技術の背光モジュールの断面図である。
【図２】本発明の実施例１による断面図である。
【図３】本発明の実施例１による反射板の頂面図である。
【図４】図３の側面図である。
【図５】本発明の実施例２による反射板の頂面図である。
【図６】図５の側面図である。
【符号の説明】
【００２７】
１  背光モジュール
１１  導光板
１１１  導光機構
１１２  導光点
２１  底部
２２２  開口部
４  屈折線
５１  底部
９２  反射板
９３２  開口部
１２  光源
２２  側部
３  屈折線
４１  半分破断線
５２  側部
９３  ランプハウジング
９４  光源
２  反射板
２２１  収容空間
３１  切り込み線
５  反射板
９１  導光板
９３１  収容空間
【図１】
2007273435.tif 000003
【図２】
2007273435.tif 000004
【図３】
2007273435.tif 000005
【図４】
2007273435.tif 000006
【図５】
2007273435.tif 000007
【図６】
2007273435.tif 000008